(57)【要約】      （修正有）【課題】就寝時にエアコンを停止することができ、且つ、蚊などの害虫に悩まされることなく安眠することのできる蚊帳の良さを生かすことができる扇風機を備えた蚊帳を提供する。【解決手段】扇風機を備えた蚊帳は、蚊帳のネット内部に扇風機を設けることで就寝時に適度の涼風を感じて安眠を保つことができる。本扇風機は、蚊帳のリブなどのフレームやネットの任意の位置に設けたり、着脱自在に設けることができる。【選択図】図１
0003146273.tif 000002
【実用新案登録請求の範囲】
【請求項１】
蚊帳のネット内部に扇風機を設けることを特徴とする扇風機を備えた蚊帳。
【請求項２】
前記扇風機を、蚊帳のリブなどのフレームや前記ネットの任意の位置に設けることを特徴とする請求項１に記載の扇風機を備えた蚊帳。
【請求項３】
前記扇風機を、着脱自在に設けることを特徴とする請求項１または２に記載の扇風機を備えた蚊帳。
【請求項４】
上記扇風機の風量や風向きを変化させることを特徴とする請求項１、２または３に記載の扇風機を備えた蚊帳。
【請求項５】
アーチを構成する複数本のリブと、これらリブ間に張装されるネットと、上記リブの上端部を開閉自在に枢着する開閉装置から構成される折畳み式蚊帳において、上記開閉装置の下部に扇風機を設けることを特徴とする請求項１に記載の扇風機を備えた蚊帳。
【考案の詳細な説明】
【技術分野】
【０００１】
本考案は、扇風機を備えた蚊帳に関するものである。
【背景技術】
【０００２】
古来、就寝時に蚊などの害虫を除けるために蚊帳が使われて来たが、近年のエアコンや窓に取り付ける網戸などの普及に伴って使用されなくなった。
しかし、エアコンはつけたままで寝込んでしまうと、風邪を引き易く、特に、乳幼児や高齢者には良くない。また、網戸も戸の開閉時に蚊や虫が部屋に入り込むことが屡々生じて、完全ではない。
【０００３】
そこで、本考案者は、就寝時にエアコンを停止することができ、且つ、蚊などの害虫に悩まされることなく安眠することのできる蚊帳の良さを生かすことができる、扇風機を備えた蚊帳を考案するに至った。
本考案者の調査によれば、従来、本考案のように扇風機を備えた蚊帳は無い。
【考案の開示】
【考案が解決しようとする課題】
【０００４】
本考案が解決しようとする課題は、就寝時にエアコンを停止することができ、且つ、蚊などの害虫に悩まされることなく安眠することのできる蚊帳の良さを生かすことができる扇風機を備えた蚊帳を提供することにある。
【課題を解決するための手段】
【０００５】
本考案の扇風機を備えた蚊帳は、蚊帳のネット内部に扇風機を設けることを特徴とする。また、前記扇風機を、蚊帳のリブなどのフレームや前記ネットの任意の位置に設けることを特徴とする。さらに、前記扇風機を、着脱自在に設けることを特徴とする。又更に、上記扇風機の風量や風向きを変化させることを特徴とする。更にまた、アーチを構成する複数本のリブと、これらリブ間に張装されるネットと、上記リブの上端部を開閉自在に枢着する開閉装置から構成される折畳み式蚊帳において、上記開閉装置の下部に扇風機を設けることを特徴とする請求項１に記載の扇風機を備えた蚊帳。なお、本考案における蚊帳は、蚊などの害虫が入らない覆いであれば、その形態や構造は実施例に限定するものではない。
【考案の効果】
【０００６】
本考案の扇風機を備えた蚊帳は、
１）エアコンを止めても、就寝時に適度の涼風を感じて安眠を保つことができる。
２）ネットの内側に扇風機を設けたので、風がネットに邪魔される恐れがなく、また、蚊などの害虫が入り込む恐れはない。
３）蚊などの害虫に悩まされることなく、省エネなど蚊帳の良さを利用することができる。
という利点がある。
【考案を実施するための最良の形態】
【０００７】
図１は、本考案の扇風機を備えた蚊帳の一実施例を示す斜視図であって、１はアーチを構成する複数本（本実施例では４本）のリブ、２はこれらリブ１間に張装されるネット、３は上記リブ１の上端部を開閉自在に枢着する開閉装置であって、これらリブ１とネット２と開閉装置３から折畳み式蚊帳を構成する。該折畳み式蚊帳は、従来周知の材質ならびに構造を有する。該折畳み式蚊帳の内側頂部には扇風機４が備えられている。
【０００８】
図２は、上記開閉装置３および、これに取り付けられた扇風機４の拡大半断面図である。上記開閉装置３は、主として装置本体３ａと、ピン３ｂと、ノッチ３ｃと、ランナー３ｄと、操作紐３ｅから構成されている。
【０００９】
上記ノッチ３ｃは、傘の「上ろくろ」とほぼ同様の構造を有し、放射状に開削されたスリット３ｃ−１に、上記リブ１の扁平状上端１ａが差し込まれ、該扁平状上端１ａに穿設された孔１ｂに針金やワイヤーなどから成る固定索体１ｃを通すと共に、該固定索体１ｃを上記円盤状のノッチ３ｃの外周溝３ｃ−２に巻き付けて、上記リブ１の上端部を開閉自在に枢支している。
【００１０】
上記リブ１の途中には、ジョイント１ｄが付設されている。該ジョイント１ｄにはストレッチャー１′の外端部が回動自在に枢着されている。該ストレッチャー１′の内端部は、上記ランナー３ｄに回動自在に枢着されている。この枢着方法は、上記ノッチ３ｃに対するリブ１の枢着方法とほぼ同じである。上記ランナー３ｄは上記装置本体３ａに一体的に取り付けられ、或いは構成されている。
【００１１】
また、上記装置本体３ａの上端には、ピン３ｂが一体的に取り付けられ、或いは構成されている。該ピン３ｂは、上記ノッチ３ｃの中心に穿設された孔３ｃ―３に挿設されるようになっている。該ピン３ｂの上端部には、上記操作紐３ｅが取り付けられている。該操作紐３ｅの先端部には、開閉用摘み３ｆが取り付けられている。該開閉用摘み３ｆは、上記ノッチ３ｃの孔を通り抜けできないようになっている。
【００１２】
４は扇風機であって、回転羽根４ａとこれを回転駆動するモータ４ｂから成る。上記回転羽根４ａは柔軟性を有し、回転中でも手などがこれに触れると停止して怪我をしないような材質や構造であるのが好ましい。また、回転数を変化させて強弱の風力を発生させたり、風向きを変化させて、一定の強さの風が体の特定部分に集中しないようにさせるのが好ましい。
【００１３】
上記扇風機を備えた蚊帳は、以上のように構成されているので、図２に示すように、上記装置本体３ａと一体になったピン３ｂを上記操作紐３ｅにより引き上げると、上記装置本体３ａと一体になったランナー３ｄも引き上げられて上記ノッチ３ｃに接近するとともに、該ランナー３ｄに枢着されたストレッチャー１′およびジョイント１ｄを介して上記リブ１が押し拡げられる。該リブ１の拡開状態は、上記ピン３ｂに出没可能に設けられたロック爪３ｂ−１によりロックされる。
【００１４】
上記リブ１が押し拡げられると、図１に示すように、これに伴って上記ネット２が該リブ１間に張装され、就寝する人（図示せず）など虫除け及び涼風を必要とする人の上に被せられる。続いて、配線を介して外部電源から電力を供給して、上記扇風機４を稼働させる。図１において、５はコントロールボックスであって、供給する扇風機４のＯＮ／ＯＦＦや回転数（風力）の調整ができるようになっている。なお、扇風機４への電力の供給やコントロール手段は、図１に示すものに限定するものではなく、電池（バッテリー）やパソコンのＵＳＢ端子から供給およびコントロールしてもよい。
【００１５】
上記ロック爪３ｂ−１をピン３ｂ内に押し込むと、ノッチ３ｃとの係合が解除され、上記ピン３ｂはノッチ３ｃの孔３ｃ−３から下方に抜けるので、図３に示すように、上記リブ１およびネット２が閉じる。
【００１６】
図４（Ａ）は、別の実施例を示すもので、上記実施例のリブ１やこれを開閉する開閉装置が無く、それに代えて、ネット２の中央部をフック６により部屋（ベッドの真上など）に吊り下げると共に、該フック６にリング７を取り付けて、ネット２を拡げた状態で垂らす構造のものである。上記リング７は円環状のものに限らず楕円や小判形などいずれの形状でもよい。扇風機４は、図４（Ｂ）に拡大して示すように、上記フック６の下部のネット２の内側に設けられる。
【００１７】
図５（Ａ）は、さらに別の実施例を示すもので、我が国においても古くから使用されている蚊帳の中央内部に扇風機４を、図５（Ｂ）に示すように、取付る構造のものである。
【００１８】
上記実施例では、いずれも扇風機４を蚊帳の所定の箇所に固定して取り付けるものであるが、本考案ではこれに限定するものではなく、例えば、図６に示すように、扇風機４にクランプ８を設け、これを例えば、図１の実施例のリブ１あるいはネット２の上部の適当な位置に挟み付けて着脱自在に取付たり、図４（Ａ）や図５（Ａ）の実施例のネット２の上部の適当な位置に挟み付けて着脱自在に取付るようにしてもよい。
【００１９】
なお、上記扇風機４の上方のネット２上（外側）に濡れたタオルなど水を含んだ布を置いたり、保冷剤を置いて、扇風機４の風で、布に含まれた水分を気化させたり、保冷剤の冷気を取り込むことで、冷風機と同様の冷感が得られる。その際、もし水滴が生じても、ネット２が受け止めて、やがて風により蒸発するので、布団や身体にかかる心配はない。図７は、上記濡れたタオルや保冷剤を入れるメッシュトレイ９であって、これを例えば図１に示す蚊帳の上にセットする。本実施例では、メッシュトレイ９の底に穴が形成されていて、開閉装置３のピン３ｂを挿入することにより、安定してセットできるようにしてあるが、これに限定するものではない、
【図面の簡単な説明】
【００２０】
【図１】本考案の扇風機を備えた蚊帳の一実施例を示す斜視図である。
【図２】図１の要部の拡大半断面図である。
【図３】図１の蚊帳を閉じた状態の説明図である。
【図４】本考案の別の実施例を示す説明図（Ａ）、（Ｂ）である。
【図５】本考案の更に別の実施例を示す説明図（Ａ）、（Ｂ）である。
【図６】扇風機の取り付け手段の別の実施例を示す説明図である。
【図７】蚊帳の上にメッシュトレイをセットして、この中にタオルや保冷剤を入れるようにした更に別の実施例を示す説明図である。
【符号の説明】
【００２１】
１    リブ
１′  ストレッチャー
１ａ  扁平状上端
１ｂ  孔
１ｃ  固定索体
１ｄ  ジョイント
２    ネット
３    開閉装置
３ａ  装置本体
３ｂ  ピン
３ｂ−１  ロック爪
３ｃ  ノッチ
３ｃ−１  スリット
３ｃ−２  外周溝
３ｃ−３  孔
３ｄ  ランナー
３ｅ  操作紐
３ｆ  開閉用摘み
４    扇風機
４ａ  回転羽根
４ｂ  モータ
５    コントロールボックス
６    フック
７    リング
８    クランプ
９    メッシュトレイ
【図１】
0003146273.tif 000003
【図２】
0003146273.tif 000004
【図３】
0003146273.tif 000005
【図４】
0003146273.tif 000006
【図５】
0003146273.tif 000007
【図６】
0003146273.tif 000008
【図７】
0003146273.tif 000009